(57)【要約】【課題】楽しさと高い娯楽性を備える運動/レクリエーション目的と移動手段としての効果を達成できるスイングカーを提供する。【解決手段】スイングカーは、車体直棒１及び２個の車体横棒２からなり、車体直棒１頂端には使用者が両手で握持するハンドル１１を設置し、末端には前輪１２を設置し、しかも末端には、前輪１２上方において、固定プラットホーム１３を設置し、各車体横棒２の前端は、可動接続装置３を通して、固定プラットホーム１３と可動状に接続し、こうして可動接続装置３を緩めることで、２個の車体横棒２は車体直棒１と相互に折畳むことができ、各車体横棒２の末端には後輪２３を可動状に接続し、これにより後輪２３は左右スイングの方式で移動し、末端の、該後輪２３に近い位置には、ペダルを設置するペダルプラットホーム２４を設置する。【選択図】図１
0003189681.tif 000002
【実用新案登録請求の範囲】
【請求項１】
スイングカーは、車体直棒、２個の車体横棒を備え、
該車体直棒頂端には、使用者が両手で握持するハンドルを設置し、末端には、前輪を設置し、しかも末端には、該前輪上方において、固定プラットホームを設置し、
該２個の車体横棒の各車体横棒の前端は、可動接続装置を通して、該固定プラットホームと可動状に接続し、こうして該可動接続装置を緩めることで、該２個の車体横棒は、該車体直棒と相互に折畳むことができ、
該各車体横棒の末端には、後輪を可動状に接続し、これにより該後輪は、左右スイングの方式で移動し、しかも末端の、該後輪に近い位置には、ペダルを設置するペダルプラットホームを設置することを特徴とするスイングカー。
【請求項２】
前記可動接続装置は、ネジヤマを備える螺合接続部材とバネを備え、
該車体横棒前端と該固定プラットホームの対応位置には、螺合孔を相対的に設置し、
これにより該可動接続装置の螺合接続部材は、該２個の螺合孔を通過し、該固定プラットホーム上に螺合後、該バネは、該螺合接続部材と該車体横棒との間に、緊密に対応し、
該可動接続装置の螺合接続部材を緩めた後、該２個の車体横棒は、該車体直棒と相互に折畳むことができることを特徴とする請求項１に記載のスイングカー。
【請求項３】
前記固定プラットホーム上の螺合孔には、該螺合接続部材を結合するネジヤマを設置することを特徴とする請求項２に記載のスイングカー。
【請求項４】
前記車体横棒前端と該固定プラットホームの間は、ボルトを通して連結することを特徴とする請求項１に記載のスイングカー。
【考案の詳細な説明】
【技術分野】
【０００１】
本考案はスイングカーに関し、特に構造が簡単で、使用が簡便でしかも操作時には、簡便かつスムーズで安定し、省力化が図れ、安全性が高い等の人体工学の要求に符合し、こうして楽しさと高い娯楽性を備える運動/レクリエーション目的と移動手段としての効果を達成できるスイングカーに関する。
【背景技術】
【０００２】
一時期青少年の間で流行したキックボードは、片足で立つ車体の前後端に、前、後輪を設置する。
前輪には、上方へと操作ハンドルを設置する。
使用者は片足で車体上に立ち、もう一方の足は、力を入れて地面を蹴り、キックボードを前進させ、スライドの目的を達成する。
【０００３】
しかし、該前、後は単輪一直線の構造設計であるため、重心が非常に不安定で、傾き、或いは転倒する事故が起きやすい。
しかも、キックする側の足は大きな力を受けるため、不注意で捻挫或いは骨折が起きることもある。
この状況に対して、三輪式スイングカーの設計が誕生した。
【０００４】
従来のスイングカーの設計は、前管を設置する。
該前管には、自由に回転する立管を可動状に設置する。
該立管上端には、ハンドルを設置する。
該立管下端は、フロントフォークを通して、前駆動輪を設置する。
該前管下端には前向きに、可動接続装置を可動状に設置し、左、右キャリア体棒と可動状に接続する。
また、該左、右キャリア体棒後端には、それぞれロードホイールを設置し、該ロードホイール位置には、キャリア体を配置する。
【０００５】
これにより、使用者はキャリア体に立ち、両手でハンドルを握った後、左、右にハンドルをスイングさせる方式で、前方へと車輪を駆動し左、右に揺らす。
さらに、スイングの過程において、車輪はＳ字型を描き前方へと回り、スイングカー全体は、前方へとスライドする運動目的を達成する。
【０００６】
上述した構造は、運動、遊び、フィットネス或いは交通手段等としての目的を達成することはできるが、構造設計の関係で、操作が堅く、不自然で、折畳みがスムーズでない等の現象が発生している。
本考案は、従来のスイングカーの上記した欠点に鑑み、操作がスムーズで利便性の高いスイングカー構造を実現するためになされたものである。
【先行技術文献】
【特許文献】
【０００７】
【特許文献１】登録実用新案第３０７０２８５号公報
【考案の概要】
【考案が解決しようとする課題】
【０００８】
本考案が解決しようとする課題は、構造が簡単で收納が便利で、使用が簡便で、操作時には、簡便かつスムーズで安定し、省力化が図れ、安全性が高い等の人体工学の要求に符合し、こうして楽しさと高い娯楽性を備える運動/レクリエーション目的と移動手段としての効果を達成できるスイングカーを提供することである。
【課題を解決するための手段】
【０００９】
上記課題を解決するため、本考案は下記のスイングカーを提供する。
スイングカーは、車体直棒及び２個の車体横棒からなり、
該車体直棒頂端には、使用者が両手で握持するハンドルを設置し、末端には、前輪を設置し、しかも末端には、該前輪上方において、固定プラットホームを設置し、
該各車体横棒の前端は、可動接続装置を通して、該固定プラットホームと可動状に接続し、こうして該可動接続装置を緩めることで、該２個の車体横棒は、該車体直棒と相互に折畳むことができ、
該各車体横棒の末端には、後輪を可動状に接続し、これにより該後輪は、左右スイングの方式で移動し、
しかも末端の、該後輪に近い位置には、ペダルを設置するペダルプラットホームを設置し、
実施時には、該可動接続装置は、ネジヤマを備える螺合接続部材とバネを備え、該車体横棒前端と該固定プラットホームの対応位置には、螺合孔を相対的に設置し、
これにより、該可動接続装置の螺合接続部材は、該２個の螺合孔を通過し、該固定プラットホーム上に螺合後、該バネは、該螺合接続部材と該車体横棒との間に、緊密に対応し、
該可動接続装置の螺合接続部材を緩めた後、該２個の車体横棒は、該車体直棒と相互に折畳むことができ、
実施時には、該固定プラットホーム上の螺合孔には、該螺合接続部材を結合するネジヤマを設置し、
実施時には、該車体横棒前端と該固定プラットホームとの間は、ボルトを通して連結する。
【考案の効果】
【００１０】
本考案のスイングカーは、構造が簡単で、使用が簡便でしかも操作時には、簡便かつスムーズで安定し、省力化が図れ、安全性が高い等の人体工学の要求に符合し、こうして楽しさと高い娯楽性を備える運動/レクリエーション目的と移動手段としての効果を達成することができる。
【図面の簡単な説明】
【００１１】
【図１】本考案実施例スイングカーの立体外観模式図である。
【図２】本考案実施例による可動接続装置と車体直棒、車体横棒組合せ前の局部外観模式図である。
【図３】本考案実施例による可動接続装置と車体直棒、車体横棒組合せ時の状態模式図である。
【図４】本考案実施例スイングカー折畳み前の局部外観模式図である。
【図５】本考案実施例スイングカー折畳み後の局部外観模式図である。
【考案を実施するための形態】
【００１２】
以下に図面を参照しながら本考案を実施するための最良の形態について詳細に説明する。
【実施例】
【００１３】
図１〜５に示すように、本考案スイングカーの一実施例は、車体直棒１及び２個の車体横棒２からなる。
【００１４】
該車体直棒１頂端には、使用者が両手で握持するハンドル１１を設置し、末端には、前輪１２を設置する。
【００１５】
しかも、末端には、前輪１２上方において、固定プラットホーム１３を設置する。
【００１６】
各車体横棒２の前端は、可動接続装置３を通して、該固定プラットホーム１３と可動状に接続する。
【００１７】
こうして、該可動接続装置３を緩めることで、該２個の車体横棒２は、該車体直棒１と相互に折畳むことができる。
【００１８】
該車体横棒２前端と該固定プラットホーム１３との間は、ボルト２１を通して連結する。
【００１９】
該可動接続装置３は、ネジヤマ３１１を備える螺合接続部材３１とバネ３２を備える。
【００２０】
該車体横棒２前端と該固定プラットホーム１３の対応位置には、螺合孔２２、１３１を相対的に設置する。
【００２１】
該固定プラットホーム１３上の螺合孔１３１には、該螺合接続部材３１を結合するネジヤマ１３２を設置する。
【００２２】
これにより、該可動接続装置３の螺合接続部材３１は、該２個の螺合孔２２、１３１を通過し、該固定プラットホーム１３上に螺合後、該バネ３２は、該螺合接続部材３１と該車体横棒２との間に、緊密に対応する。
【００２３】
該可動接続装置３の螺合接続部材３１を緩めた後、該２個の車体横棒２は、該車体直棒１と相互に折畳むことができる。
【００２４】
該各車体横棒２の末端には、後輪２３を可動状に接続し、これにより該後輪２３は、左右スイングの方式で移動し、しかも末端の、該後輪２３に近い位置には、ペダルを設置するペダルプラットホーム２４を設置する。
【００２５】
よって、実施時に、該ハンドル１１を左右に揺らすと、該２個の車体横棒２は、圧力を受けて偏る。
【００２６】
こうして、該ハンドル１１の左右搖動の操作と該２個の車体横棒２回復の動作により、該スイングカーはスライド前進する。
【００２７】
使用後に收納しようとする時には、該可動接続装置３の螺合接続部材３１を緩め、これにより該螺合接続部材３１が、該固定プラットホーム１３の螺合孔１３１を離脱すると、該２個の車体横棒２は、該固定プラットホーム１３との間の結合状態を解消し、該車体直棒１と相互に折畳まれ、一体となる。
【００２８】
上述した本考案の構造設計を通して、構造が簡単で、使用が簡便でしかも操作時には、簡便かつスムーズで安定し、省力化が図れ、安全性が高い等の人体工学の要求に符合し、こうして楽しさと高い娯楽性を備える運動/レクリエーション目的と移動手段としての効果を達成できる。
【００２９】
可動接続装置の設計により、收納時には、該車体横棒と該車体直棒とは、迅速、間便に一体に折畳まれ、省スペースの目的を達成することができる。
【００３０】
上記の本考案名称と内容は、本考案技術内容の説明に用いたのみで、本考案を限定するものではない。本考案の精神に基づく等価応用或いは部品（構造）の転換、置換、数量の増減はすべて、本考案の保護範囲に含むものとする。
【産業上の利用可能性】
【００３１】
本考案は実用新案登録の要件である新規性を備え、従来の同類製品に比べ十分な進歩を有し、実用性が高く、社会のニーズに合致しており、産業上の利用価値は非常に大きい。
【符号の説明】
【００３２】
１  車体直棒
１１  ハンドル
１２  前輪
１３  固定プラットホーム
１３１  螺合孔
２  車体横棒
２１  ボルト
２２  螺合孔
２３  後輪
２４  ペダルプラットホーム
３  可動接続装置
３１  螺合接続部材
３１１  ネジヤマ
３２  バネ
【図１】
0003189681.tif 000003
【図２】
0003189681.tif 000004
【図３】
0003189681.tif 000005
【図４】
0003189681.tif 000006
【図５】
0003189681.tif 000007